(57)【要約】 【課題】個々の靴使用者の状態、特に外反母趾の予防乃至進行の防止に有効に対応することができ、靴使用者の疲労についても防止できる靴用中敷及びその部品を提供する【解決手段】靴内部の輪郭に略沿った形状の下面板層２と表面板層３の間に中間板層４を有し、下面板層２と表面板層３と中間板層４とは、互いに接合されており、中間板４層は、可撓性のある薄板材料により形成された中間本体板層５の上面に、小突起板層６が接着又は粘着により設けられ、中間本体板層４は、靴内部の踵部分から足趾の付け根骨部分を略カバーし、且つ、中間本体板層５には靴内部の外側縁に略沿って切欠き部７が形成され、表面板層３の表面に、中間板層４を形成する中間本体板層５及び小突起板層６表面、及びそれらの外周縁に沿った凹凸面が形成されている【選択図】  図１
2017108906.tif 000002
【特許請求の範囲】
【請求項１】
靴内部の輪郭に略沿った形状の下面板層と表面板層の間に中間板層を有し、下面板層と表面板層と中間板層とは、互いに接合されている靴用中敷において、
前記中間板層は、可撓性のある薄板材料により形成された中間本体板層の上面に、小突起板層が接着又は粘着により設けられ、
中間本体板層は、靴内部の踵部分から足趾の付け根骨部分を略カバーし、且つ、中間本体板層には靴内部の外側縁に略沿って切欠き部が形成され、表面板層の表面に、中間板層を形成する中間本体板層及び小突起板層表面及び外周縁に沿った凹凸面が形成されていることを特徴とする靴用中敷。
【請求項２】
前記中間板層を構成する中間本体板層及び小突起板層は、天然コルク材により形成されている請求項１に記載の靴用中敷。
【請求項３】
前記中間本体板層の上面に設けられる小突起板層は、中間本体板層上面の前部分であって足の横アーチに対応する上面と、中間本体板層上面の中間部分の内側縁部に対応する上面に形成されている請求項１又は２項記載の靴用中敷。
【請求項４】
前記中間本体板層の少なくとも中間部分の内側縁部の側壁面は、庇状に傾斜された後退傾斜面とされている請求項１乃至３のいずれか１項記載の靴用中敷。
【請求項５】
前記中間板層を構成する前記中間本体板層の前記切欠き部の前後方向中間部分の外縁部には中間突出部が外方に突出して形成されている請求項１乃至４のいずれか１項記載の靴用中敷。
【請求項６】
前記中間本体板層における前記切欠き部の外側には、靴内部の壁面に略沿う外側縁部分が形成されている請求項１乃至５のいずれか１項記載の靴用中敷。
【請求項７】
前記切欠き部は、前記中間本体板層の外側縁部分に沿って前後方向に略連続する溝状に形成され、切欠き部の前後方向中間部分に、前記中間突出部が形成され、中間突出部の左右の端部は、対向する中間本体板層と前記外側縁部分に一体的に結合されている請求項５又は６に記載の靴用中敷。
【請求項８】
前記中間板層を構成する前記中間本体板層の前縁部の内側部分に、母趾の付け根骨部分を支える前端突出部が突出して形成されている請求項１乃至７のいずれか１項記載の靴用中敷。
【請求項９】
前記中間板層を構成する前記中間本体板層の前縁部の内側部分に、前端突出部が突出して形成されており、前端突出部の中間内部には、母趾の付け根骨部分が載置される開口部が形成されている請求項１乃至８のいずれか１項記載の靴用中敷。
【請求項１０】
前記靴中敷の下面板層は、靴本体の内底板に接着又は面ファスナーにより接合されていることを特徴とする請求項１乃至９のいずれか１項に記載の靴用中敷。
【請求項１１】
前記下面板層は、靴本体の内底板を構成している請求項１乃至９のいずれか１項に記載の靴用中敷。
【請求項１２】
請求項１に記載の靴用中敷を製作する中敷部品において、
靴内部の輪郭に略沿った形状の下面板層と表面板層と、下面板層及び表面板層の間に粘着又は接着により接合される中間板層を有し、
前記中間板層は、靴内部の踵部分から足趾の付け根骨部分を略カバーする平面形状の中間本体板層と、その上面に接着又は粘着により設けられる小突起板層とよりなることを特徴とする靴用中敷部品。
【請求項１３】
請求項１に記載の靴用中敷を製作する中敷部品において、
靴内部の輪郭に略沿った形状の中間板層を有し、
前記中間板層は、靴内部の踵部分から足趾の付け根骨部分を略カバーする平面形状の中間本体板層と、その上面に接着又は粘着により設けられる小突起板層とよりなることを特徴とする靴用中敷部品。
【請求項１４】
請求項１２又は１３に記載の中敷部品において、
前記中間本体板層は、その裏面に剥離紙によって保護された粘着剤層又は接着剤層が形成され、前記小突起板層は、その裏面に剥離紙によって保護された粘着剤層又は接着剤層が形成されている靴用中敷部品。
【請求項１５】
請求項１に記載の靴用中敷を製作する中敷部品において、
靴内部の輪郭に略沿った形状の中間板層を有し、
前記中間板層は、靴内部の踵部分から足趾の付け根骨部分を略カバーする平面形状の中間本体板層と、その上面に接着又は粘着により設けられる小突起板層とよりなり、前記中間板層を構成する前記中間本体板層の前縁部の内側部分に、前端突出部が突出して形成され、前端突出部の中間内部には、母趾の付け根骨部分が載置される開口部が形成されていることを特徴とする靴用中敷部品。
【発明の詳細な説明】
【技術分野】
【０００１】
本発明は、積層構造の靴用中敷及び該靴用中敷を製作するための靴用中敷部品に関するものである。
【背景技術】
【０００２】
本出願人（発明者）は、足の健康を維持するために、使用者の足、特に、足裏の状態や足趾（足指）の状態に対応して、足を中心とする劣化を予防するとともに、浮趾、開張足、外反母趾などの足裏や足趾の異常の予防や矯正を目的とする下記特許文献１の足健康装具を発明した。
また、クッション機能を有する積層構造の靴用中敷についても各種提案されている（下記特許文献２、３）。
【先行技術文献】
【特許文献】
【０００３】
【特許文献１】特許第５７８９７２６号公報
【特許文献２】実用新案登録第３１９５０５６号公報
【特許文献３】特開２００３−２１０２０６号公報
【発明の概要】
【発明が解決しようとする課題】
【０００４】
上記特許文献１に示されているように、２本足で歩行するヒトの足は、全体重を支え、歩く、走るという働きに集中するようにそれに耐えられるように、足底に下記の３つのアーチが形成される（図１２参照）。
（１）踵から母趾（親指）の付け根の間：内側縦アーチ
（２）踵から小趾（小指）の付け根の間：外側縦アーチ
（３）母趾（親指）の付け根と小趾（小指）の付け根の間：横アーチ
それぞれのアーチは、筋肉や靱帯で構成され、次のような重要な役割を果たしている。  ・足を蹴り出す力（バネ）
・衝撃や負担の吸収
・足底の筋肉や、血管、神経などの保護
横アーチが低下した場合に中足骨が扇状に開き、横に広がることから開張足（かいちょうそく）といい、外反母趾や内反小趾の原因にもなる。また、足を蹴り出すバネの力が弱まり、体のバランスを崩すことになり、足や体への負担が大きくなる。縦アーチが低下した場合には偏平足となる。
開張足の原因は、遺伝や運動不足、足に合わない靴などがあるが、根源的には、踵が内側（母趾側）や外側（小趾側）に傾く、回内足や回外足を原因とする。直立した足を後ろから見て、アキレス腱が地面に対して内側に傾いている状態を回内足といい、外側に傾いている状態を回外足という。日本人では、約７０％が回内足症状を持つといわれている。
【０００５】
外反母趾の進行は、靴の内部で母趾が押されて足の外側に回旋し、母趾全体が外側に傾くと共に、踵骨も傾いて、足裏全体の重心が内側に傾き、歩行バランスが崩れることに原因があり、靴使用者の体型、年齢、歩行状態などに応じて、その症状と進行状態は様々である。
【０００６】
特許文献２には、上面にアーチ形状を有する３層構造のインソールが示されているが、個々の靴使用者の状態、特に外反母趾の予防乃至進行の防止に対応する構造ではない。
特許文献３に記載の靴用中敷は、三層構造になり、加熱した金型で一体成型した三層構造になり、構造的にも複雑で、個々の靴使用者の状態、特に外反母趾の予防乃至進行の防止に有効に対応することは困難である。
【０００７】
そこで本発明は、上記問題点に鑑み、個々の靴使用者の状態、特に外反母趾の予防乃至進行の防止に有効に対応することができ、靴使用者の疲労についても防止できる靴用中敷を提供することを目的としている。
本発明は、外反母趾の予防乃至進行の防止のみならず、上記開張足や偏平足の予防乃至進行の防止にも有効に対応することができる靴用中敷を提供することを目的としている。
また、本発明では、個々の靴使用者の状態に容易に対応した靴用中敷を製作でき、セット商品等、多樣な部品商品としても使用できる靴用中敷部品を提供することを目的としている。
【課題を解決するための手段】
【０００８】
次に、上記の課題を解決するための手段を、実施の形態に対応する図面を参照して説明する。
【０００９】
請求項１に係る本発明は、靴内部の輪郭に略沿った形状の下面板層２と表面板層３の間に中間板層４を有し、下面板層２と表面板層３と中間板層４とは、互いに接合されている靴用中敷１において、前記中間板４層は、可撓性のある薄板材料により形成された中間本体板層５の上面に、小突起板層６が接着又は粘着により設けられている。
中間本体板層４は、靴内部の踵部分から足趾の付け根骨部分（中足骨の骨頭部又は中足骨と趾骨の関節部分（図１２参照））を略カバーし、且つ、中間本体板層５には靴内部の外側縁に略沿って切欠き部７が形成され、表面板層３の表面に、中間板層４を形成する中間本体板層５及び小突起板層６表面、及びそれらの外周縁に沿った凹凸面が形成されていることを特徴とする靴用中敷１にある。切欠き部７は、靴中敷きの中心線の外側に略形成されている。
請求項１の靴用中敷には、靴内部の踵部と中間部の輪郭に略沿い、靴内部のつま先部に相当する部分の無い、いわゆる、半敷タイプの靴用中敷を含む。
【００１０】
上記請求項１の靴用中敷１において、その表面板層３の表面には、中間板層４に形成される小突起板層６に対応して小突起が凸状に一体的に形成されるとともに、中間板層４に形成される切欠き部７に対応して凹溝が凹状に一体的に形成されている。中間板層４は、靴内部の輪郭に沿い、靴内部の踵部分から足趾の付け根部分を略カバーし、靴内部の後端から中間部前方にかけた略三分の二の部分に形成され、靴内部の前部分には存在しない。この中間板層４が存在しない靴内部の前部分に対応する表面板層３の表面は、上記切欠き部７に対応した凹溝に面方向に連続した凹面部とされている。
上記請求項１の靴用中敷１では、切欠き部７などの存在により、内側（母趾側）を外側（小趾側）よりも高くしており、切欠き部７の後部（凹部７’）に踵骨部が落とし込まれ、足の重心を内側に傾きにくくしている。
【００１１】
上記靴用中敷１を靴内に挿入し又は靴の内底面に一体的に固定して使用する。中敷１の下に土踏まず部分等要所をサポートするクッション材を入れてもよい。
【００１２】
請求項２に係る本発明の靴用中敷１は、前記中間板層を構成する中間本体板層５及び小突起板層６は、天然コルク材により形成されている。中間本体板層５を天然コルク材により形成し、小突起板層６を硬質ゴム材など天然コルク材以外の材料により形成しても良い。
【００１３】
上記請求項２の靴用中敷１では、その要部となり、使用者の足を実質的に支持する中間板層４を、シート状若しくは薄板状の天然コルク材により形成することにより、吸水性及び吸臭性があり、適度の支持硬度とクッション性が得られ、使用中劣化することもない。また、加工も容易である。
【００１４】
請求項３に係る本発明の靴用中敷１は、前記中間本体板層５の上面に設けられる小突起板層６は、中間本体板層５上面の前部分であって足の横アーチに対応する上面（半球形状に突出する小突起板層６ａ）と、中間本体板層５上面の中間部分の内側縁部に対応する上面に形成されている（三日月形状に突出する小突起板層６ｂ）。
【００１５】
上記請求項３の靴用中敷１は、前部分の小突起板層６ａは上記横アーチを支持し、中間部分の小突起板層６ｂは、足の土踏まずを形成する縦アーチを支持する（図１２）とともに、使用者の足の靴内での前方及び内側（母趾側）への滑りを防止している。
これにより、上記足裏の縦アーチ及び横アーチが正常に維持され、上記開張足や偏平足が予防されるとともに、靴内での母趾の移動圧迫による外反母趾が予防され、その進行が防止される。
【００１６】
請求項４に係る本発明の靴用中敷１は、前記中間板層４の少なくとも中間部分の内側縁部の側壁面は、庇状に傾斜された後退傾斜面４ａとされている。
【００１７】
この後退傾斜面４ａにより、歩行時足の特に内側にクッション性が得られ、歩いた時の衝撃を吸収し、快適な歩行が得られるとともに、使用者の足の靴内での内側（母趾側）への滑りを防止している。
【００１８】
請求項５に係る本発明の靴用中敷１は、前記中間板層４を構成する前記中間本体板層５の前記切欠き部７の前後方向中間部分の外縁部には中間突出部９が外方に突出して形成されている。
【００１９】
請求項６に係る本発明の靴用中敷１は、前記中間本体板層５における前記切欠き部７の外側には、靴内部の壁面に略沿う外側縁部分５ａが形成されている。
【００２０】
このような、外側縁部分５ａの存在により、中間本体板層５の靴用中敷１内部への設置にずれがなく、靴用中敷１の製造が容易になる。
【００２１】
請求項７に係る本発明の靴用中敷１は、前記切欠き部７は、前記中間本体板層５の外側縁部分５ａに沿って前後方向に略連続する溝状に形成され、切欠き部７の前後方向中間部分に、前記中間突出部９が形成され、中間突出部９の左右の端部は、対向する中間本体板層５と外側縁部分５ａに一体的に結合されている。
中間突出部９の後部には、切欠き部７の後部となる窓状の凹部７’が形成される。
【００２２】
請求項７の靴用中敷１は、足の踵骨が上記切欠き部７の後部となる窓状の凹部７’に落とし込まれ、中間突出部９も強固となり、歩行中使用者の足が靴内で前方向に滑ることが確実に防止され、母趾の内側への傾きと、これによる外反母趾が防止される。
【００２３】
請求項８に係る本発明の靴用中敷１は、前記中間板層４を構成する前記中間本体板層５の前縁部の内側部分に、母趾の付け根骨部分を支える前端突出部８が突出して形成されている。
【００２４】
請求項９に係る本発明の靴用中敷１''は、前記中間板層４を構成する前記中間本体板層５の前縁部の内側部分に、前端突出部８が突出して形成されており、前端突出部８の中間内部には、母趾の付け根骨部分が載置される窓状の開口部１０が形成されている。
【００２５】
上記靴用中敷１の使用中、靴使用者の母趾の上記付け根骨部分が、中間板層４の前部分若しくは前端突出部８上に支持され、母趾を真っ直ぐにして歩行することができる。
請求項９では、母趾の上記付け根骨部分が、開口部１０内に落とし込まれて、その前方への移動が開口部１０と前端突出部８により阻止されることになり、母趾を真っ直ぐにして歩行することができる。
従来の中敷では、母趾の付け根骨部分を支持する部分が無かったか又は薄かったため、母趾が傾きやすく、外反母趾の原因となっていた。
【００２６】
請求項１０では、前記靴中敷の下面板層２は、靴本体の内底板に接着又は面ファスナーにより接合されていることを特徴とする。
請求項１１では、前記下面板層２は、靴本体の内底板を構成し、靴本体と一体化している。
【００２７】
請求項１０又は請求項１１の靴用中敷１は靴内部でずれることがなく、半敷きタイプの靴用中敷にも容易に適応できる。また、上記靴用中敷１を構成する下面層板を省略して薄く形成でき、パンプスのような側面の浅い靴にも適応できる。サンダルやミュールなど、踵壁のないタイプの靴（履物）にも適応できる。
【００２８】
請求項１２に記載の靴用中敷を製作する部品としての中敷部品１０１は、靴内部の輪郭に略沿った形状の下面板層２と表面板層３と、下面板層２及び表面板層３の間に粘着又は接着により接合される中間板層４を有し、前記中間板層４は、靴内部の踵部分から足趾の付け根骨部分を略カバーする平面形状の中間本体板層５と、その上面に接着又は粘着により設けられる小突起板層６（６ａ，６ｂ）とよりなることを特徴とする。
【００２９】
請求項１３に記載の靴用中敷を製作する部品としての中敷部品は、靴内部の輪郭に略沿った形状の中間板層４であり、前記中間板層４は、靴内部の踵部分から足趾の付け根骨部分を略カバーする平面形状の中間本体板層５と、その上面に接着又は粘着により設けられる小突起板層６（６ａ，６ｂ）とよりなることを特徴とする。
【００３０】
請求項１４に記載の中敷部品は、前記中間本体板層５は、その裏面に剥離紙によって保護された粘着剤層又は接着剤層が形成され、前記小突起板層６（６ａ，６ｂ）は、その裏面に剥離紙によって保護された粘着剤層又は接着剤層が形成されていることを特徴とする。
小突起板層６（６ａ，６ｂ）板の裏面には、剥離紙及び粘着剤層又は接着剤層の形成は無く、別途粘着剤又は接着剤により、中間本体板層５上面の所定位置に接着されるようにしても良い。
パンプスのようなタイプの靴に本発明品を使用するときには、請求項１３又は１４に係る中間板層を靴の内底板に直接的に張り付けて用いることができる。
【００３１】
表面板層３の下面又は／及び下面板層２の上面にも、剥離紙によって保護された粘着剤層又は接着剤層が形成されていても良い。
【００３２】
請求項１５に記載の靴用中敷を製作する部品としての中敷部品は、靴内部の輪郭に略沿った形状の中間板層４であり、前記中間板層４は、靴内部の踵部分から足趾の付け根骨部分を略カバーする平面形状の中間本体板層５と、その上面に接着又は粘着により設けられる小突起板層６とよりなり、前記中間板層４を構成する前記中間本体板層５の前縁部の内側部分に、前端突出部８が一体に突出して形成され、前端突出部８の中間内部には、母趾の付け根骨部分が載置される窓状の開口部１０が形成されている。
【００３３】
上記中敷部品１０１は、上記本発明に係る靴用中敷のユーザー（医療施術関係者、靴屋又は靴の使用者）に提供するセット商品等、多樣な商品として有効である。中敷部品を構成する部品の何れかに、剥離紙によって保護された粘着剤層又は接着剤層を設けない時には、セット商品中に、接着剤を追加するようにしても良い。
上記中敷部品１０１を構成する中間板層４を、独立の商品として提供することができる。
【発明の効果】
【００３４】
本発明に係る靴用中敷では、その靴用中敷の使用中、靴使用者の母趾の付け根部分が、中間板層の前部分若しく前端突出部上に位置し、且つ、足裏の外側部分が切欠き部内に位置し、さらに、中間突出部の存在により、使用者の足が前方向に滑ることが防止され、靴内での母趾の移動圧迫による外反母趾の予防乃至進行が防止される。本発明に係る靴用中敷では、全体として、その内側（母趾側）を外側（小趾側）よりも高くし、足の重心を傾きにくくしており、外反母趾の予防乃至進行の防止を一層有効に行わせる。
【００３５】
請求項２に係る靴用中敷では、その要部となり、使用者の足を実質的に支持する中間板層を、シート状若しくは薄板状の天然コルク材により形成している。コルク材は多孔質で弾力性があり歩行衝撃を吸収する。また、適度の支持硬度とクッション性が得られ、使用中劣化することもない。さらに、吸湿質性と吸臭性があり、靴内を衛生的に保つことができる。また、足裏形状に合わせて厚みを変化させることが容易で、加工も容易である。
【００３６】
請求項３の靴用中敷は、前部分の小突起板層は横アーチを支持し、中間部分の小突起板層は、足の土踏まずを形成する縦アーチを支持する（図１２）とともに、使用者の足の靴内での前方及び内側（母趾側）への滑りを防止している。
これにより、上記足裏の縦アーチ及び横アーチが正常に維持され、上記開張足や偏平足が予防されるとともに、靴内での母趾の移動圧迫による外反母趾が予防され、その進行が防止される。
【００３７】
請求項４に係る本発明の靴用中敷は、中間本体板層の内側縁部に形成される庇状の後退傾斜面により、靴の内底部と中敷との間に隙間ができ、歩行時この隙間が歩行衝撃を吸収し、ばねの役割を果たし、快適な歩行が得られるとともに、使用者の足の靴内での内側（母趾側）への滑りを防止している。
【００３８】
請求項６に係る本発明の靴用中敷は、外側縁部分の存在により、中間本体板層の靴用中敷内部への設置にずれがなく、靴用中敷の製造が容易になる。
【００３９】
請求項５又は７では、使用者の踵部が切欠き部における中間突出部の後方の凹部内に位置することにより、靴内での母趾の移動圧迫による外反母趾の予防乃至進行防止が一層有効に行われる。
請求項９では、母趾の上記付け根骨部分が、開口部内に落とし込まれて、その前方への移動が開口部前部の前端突出部により阻止されることになり、母趾を真っ直ぐにして歩行することができる。
従来の中敷では、母趾の付け根骨部分を支持する部分が無かったか又は薄かったため、母趾が傾きやすく、外反母趾の原因となっていた。
【００４０】
請求項１０又は請求項１１の靴用中敷は靴内部でずれることがなく、半敷きタイプの靴用中敷にも容易に適応できる。また、上記靴用中敷を構成する下面層板を省略して薄く形成でき、パンプスのような側面の浅い靴にも適応できる。サンダルやミュールなど、踵壁のないタイプの靴（履物）にも適応できる。
【００４１】
本発明に係る中敷部品の組み付け接合により、本発明に係る靴用中敷を容易に製作でき、靴用中敷のユーザー（医療施術関係者、靴屋又は靴の使用者）に提供するセット商品等多樣な部品として有効である。靴用中敷の上記ユーザーは、靴の使用者の状態に応じて、中間板層を構成する小突起板層を、中間本体層の上面の調整された位置に設けることができ、靴の使用者の状態に対応する靴用中敷を容易に制作して提供することができる。
【図面の簡単な説明】
【００４２】
【図１】本発明に係る靴用中敷の正面図（Ａ），平面図（Ｂ），底面図（Ｃ），左側面図（Ｄ），右側面図（Ｅ）である。
【図２】上記靴用中敷を靴内に敷設した状態を示す拡大横断面図である。
【図３】本発明に係る靴用中敷の表面板層を取り外した状態（下面層の上面に中間板層を設けた状態）の正面図（Ａ），左側面図（Ｂ），右側面図（Ｃ）及び各部の断面図（Ｄ）である。
【図４】本発明に係る靴用中敷を構成する中間板層の実施形態の正面図（Ａ）と他の実施形態の正面図（Ｂ）である。
【図５】本発明に係る靴用中敷部品の表面側からみた分解斜視図である。
【図６】本発明に係る靴用中敷部品の下面側からみた分解斜視図である。
【図７】本発明に係る他の実施形態に係る靴用中敷部品の下面側からみた分解斜視図である。
【図８】本発明の他の実施形態に係る靴用中敷の正面図である。
【図９】本発明の他の実施形態に係る靴用中敷の正面図（Ａ），平面図（Ｂ），底面図（Ｃ），左側面図（Ｄ），右側面図（Ｅ）である。
【図１０】上記他の実施形態に係る靴用中敷の表面板層を取り外した状態（下面層の上面に中間板層を設けた状態）の正面図（Ａ），左側面図（Ｂ），右側面図（Ｃ）及び各部の断面図（Ｄ）である。
【図１１】上記他の実施形態に係る靴用中敷を構成する中間板層の正面図である。
【図１２】足裏に形成される縦横のアーチを説明する図である。
【発明を実施するための形態】
【００４３】
（実施形態１）
図１乃至図６は、実施形態１に係る靴用中敷を示す。
以下、図１乃至図６を参照して、本発明の実施形態１に係る靴用中敷１を説明する。
【００４４】
実施形態１に係る靴用中敷１は、靴Ｋ内部の輪郭に略沿った外形を有し、下面板層２と表面板層３の間に中間板層４を有する略三層構造であって、下面板層２と表面板層３と中間板層４とは、粘着又は接着により互いに接合されている。
【００４５】
中間板層４は、略３mm程度の厚さのシート状若しくは薄板状の天然コルク材により形成され、略３mm程度の厚さの中間本体板層５の上面に略３mm程度の厚さの小突起板層６ａ，６ｂが接着又は粘着により設けられている。
【００４６】
下面板層２は、略１mm〜３mm程度の厚さのクッション製の合成樹脂、合成皮革又は天然皮革により形成されている。また、表面板層３は、略１mm程度の厚さの布製又は人工皮革などの軟質部材によるシート材又は薄板により形成され、下面板層２の上面に接合された中間板層４の上面に、表面板層３が接合された時に、表面板層３の表面には、中間板層４の表面の凹凸面形状及び中間板層４の前縁部に沿った凹凸表面が形成される。
【００４７】
中間本体板層５は、靴内部の踵部分から足趾の付け根部分を略カバーし、且つ、中間本体板層５には靴内部の外側縁部分５ａに沿って連続する溝状の切欠き部７が形成されている。中間本体板層５の上記足趾の付け根部分を略カバーする前縁部の内縁部に、母趾の付け根部分を支えるくちばし状の前端突出部８が突出して形成され、前記切欠き部７内の前後方向中間部分には中間突出部９が外方に突出して形成されている。前端突出部８は、その内側縁が下面板層２の内側縁に沿って連続し、中間本体板層５の前縁部から略円弧状に一体的に突出した形状とされている。
【００４８】
小突起板層６ａ，６ｂは、中間本体板層５の前部分に対応する上面（前小突起板層６ａ）と中間本体板層５の中間部分の内側縁部に対応する上面（中小突起板層６ｂ）に接着又は粘着により設けられている。前小突起板層６ａは略半球状に突出する形状であり、中小突起板層６ｂは、下面板層２の内側縁部に沿った略半円弧状（三日月状）とされ、断面円弧状に突出する形状とされている。
【００４９】
小突起板層６ａ，６ｂの外周部及び中間本体板層５の内縁部を除く外周部は、外周方向に傾斜する傾斜面とされている。図１（Ｃ）に示されるように、靴用中敷１では、内側（母趾側）を外側（小趾側）よりも高くしており、足の重心を内側に傾きにくくしている。  表面板層３の表面には、中間板層４を形成する中間本体板層５及び小突起板層６ａ，ｂ表面の凹凸面に沿った凹凸面、及び中間板層４の前縁部の前方に沿った凹面が形成されている。
【００５０】
図２に示されるように、中間板層４の少なくとも中間部分の内側縁部の側壁面は、庇状に傾斜された後退傾斜面４ａとされている。
この後退傾斜面４ａにより、歩行時足の特に内側にクッション性が得られ、歩いた時の衝撃を吸収し、快適な歩行が得られるとともに、使用者の足の靴Ｋ内での内側（母趾側）への滑りを防止している。
【００５１】
図３（Ａ）に示されるように、中間本体板層５の外側縁部分５ａに沿って溝状の切欠き部７が連続して形成され、切欠き部７の前後方向中間部分には中間突出部９が外方に突出して形成され、この中間突出部９の左右の両端は、中間本体板層５と外側縁部分５ａとに一体に連続している。中間突出部９の後方における切欠き部７の後部は、使用者の踵部が位置する凹部となる開口部７’とされている。
【００５２】
中間本体板層５とその外側縁部分５ａの外側縁は、下面板層２の外周縁の踵部分に沿って連続し、中間板層４を下面板層２の表面に接合する目安となる。また、中間本体板層５と外側縁部分５ａと中間突出部９に囲まれた切欠き部７内の開口部７’に、靴使用者の踵部が落ち込み、使用者の足が前方向に滑ることが有効に防止される。
【００５３】
図４（Ｂ）に示される変形例に係る中間板層４’（他の実施形態）では、上記の外側縁部分が省略されている。
外側縁部分を省略することにより、中間板層４の幅を狭くすることができ、且つ、靴用中敷１全体の幅も狭くすることができる。また、前後の折れ曲がり強度も弱くすることができることから、子供用又はパンプスのような婦人用靴の中敷として適している。
【００５４】
（実施形態２）
図５及び図６は、上記靴用中敷の分解斜視図であって、実施形態２に係る靴用中敷部品を示す。
以下、図５及び図６を参照して、本発明の実施形態２に係る靴用中敷部品を説明する。
【００５５】
靴用中敷部品１０１は、靴内部の輪郭に沿った形状の下面板層２と表面板層３と、下面板層２及び表面板層３の間に粘着又は接着により接合される中間板層４を有する。
中間板層４は、シート状若しくは薄板状の天然コルク材により形成され、靴内部の踵部分から足趾の付け根部分を略カバーする平面形状の中間本体板層５と、その上面に接着又は粘着により設けられる天然コルク材よりなる複数個の小突起板層６ａ，６ｂとよりなる。
【００５６】
中間本体板層５は、その裏面に剥離紙１１０によって保護された粘着剤層又は接着剤層が形成され、小突起板層６ａ，６ｂは、その裏面に剥離紙１１０によって保護された粘着剤層又は接着剤層が形成されている。
【００５７】
中間板層４を構成する中間本体板層５と二個の小突起板層６ａ，６ｂは、裏面に剥離紙１１０を有する粘着剤層又は接着剤層が面方向に連続して形成されているシート状若しくは薄板状の天然コルク材から、打ち抜き又は切り取りにより形成させることができる。
【００５８】
表面板層３の下面又は／及び下面板層２の上面にも、剥離紙によって保護された粘着剤層又は接着剤層が形成されていても良い。
【００５９】
靴用中敷部品１０１は、上記の靴用中敷１を製作するための複数の部品の組みを構成する。
中敷部品１０１は、本発明に係る靴用中敷１のユーザー（医療施術者、靴屋又は靴の使用者）に提供するセット商品として製作されている。また、中敷部品１０１を構成する各部品を、靴用中敷１のメーカーが、その製作工程において、半製品の部品として製作させ、又は提供させるようにしても良い。中敷部品１０１を構成する部品の何れか（実施形態２では、表面板層３板と下面板層２板）に、剥離紙によって保護された粘着剤層又は接着剤層を設けない時には、セット商品中に、接着剤を追加するようにしても良い。
【００６０】
中間板層４板を構成する中間本体板層５と小突起板層６ａ，６ｂは、天然コルク材から切り削り加工又は成型加工により一体的に形成させることができる。
小突起板層は、一個又は三個以上の複数個形成させるようにしても良い。
【００６１】
パンプスのような華奢で側面の低いタイプの靴に使用する時には、天然コルク材による中間板層４板を靴の中底板に直接的に張り付けて用いることができ、その場合には、靴の内底板が下面板層となる。
【００６２】
（実施形態３）
図７は、実施形態３に係る靴用中敷の分解斜視図であって、実施形態３に係る靴用中敷部品１０１' を示す。
以下、図７を参照して、本発明の実施形態３に係る靴用中敷部品１０１' を説明する。
実施形態３では、下面板層２の底面に、剥離紙１１１によって保護された粘着剤１１３が設けられている。粘着剤１１３を有するシートを、下面板層２の底面に面ファスナーによって設けることができる。
【００６３】
実施形態３の靴用中敷又は中敷部品は、靴の内底部に粘着剤１１３により粘着固定させることができ、その靴内でのずれが防止される。
【００６４】
（実施形態４）
図８は、実施形態４に係る靴用中敷の正面図である。
実施形態４に係る靴用中敷１’は、靴内部の踵部と中間部の輪郭に略沿い、靴内部のつま先部に相当する部分の無い、いわゆる、半敷タイプの靴用中敷１’である。
【００６５】
（実施形態５）
図９乃至図１１は、実施形態５に係る靴用中敷１''である。
実施形態５に係る靴用中敷１''は、その中間板層４を構成する前記中間本体板層５の前縁部の内側部分に、母趾の付け根骨部分を支える前端突出部８が突出して形成され、前端突出部８の中間内部には、母趾の付け根骨部分が載置される窓状の開口部１０が形成されている。
【００６６】
実施形態５では、母趾の上記付け根骨部分が、開口部１０内に落とし込まれて、その前方への移動が阻止されることになり、母趾を真っ直ぐにして歩行することができる。
【００６７】
実施形態２乃至５において、上記実施形態１に対応する図面の構成部分には、共通の参照符号を付して、その詳細な説明は省略した。
【符号の説明】
【００６８】
１，１',1''   靴用中敷
２  下面板層
３  表面板層
４，４’，４''  中間板層，４ａ  後退傾斜面
５  中間本体板層，５ａ  外側縁部分
６（６ａ，６ｂ）    小突起板層
７  切欠き部、７’  凹部
８  前端突出部
９  中間突出部
１０  開口部
１０１，１０１'   靴用中敷部品
１１０，１１１  剥離紙
【図１】
2017108906.tif 000003
【図２】
2017108906.tif 000004
【図３】
2017108906.tif 000005
【図４】
2017108906.tif 000006
【図５】
2017108906.tif 000007
【図６】
2017108906.tif 000008
【図７】
2017108906.tif 000009
【図８】
2017108906.tif 000010
【図９】
2017108906.tif 000011
【図１０】
2017108906.tif 000012
【図１１】
2017108906.tif 000013
【図１２】
2017108906.tif 000014
【手続補正書】
【提出日】平成28年8月18日(2016.8.18)
【手続補正２】
【補正対象書類名】明細書
【補正対象項目名】０００１
【補正方法】変更
【補正の内容】
【０００１】
本発明は、積層構造の靴（履物）用中敷及び該靴（履物）用中敷を製作するための靴（履物）中敷部品に関するものである。
１１０，１１１  剥離紙
【手続補正３】
【補正対象書類名】特許請求の範囲
【補正対象項目名】全文
【補正方法】変更
【補正の内容】
【特許請求の範囲】
【請求項１】
履物内部の輪郭に略沿った形状の下面板層と表面板層の間に中間板層を有し、下面板層と表面板層と中間板層とは、互いに接合されている履物用中敷において、
前記中間板層は、可撓性のある薄板材料により形成された中間本体板層の上面に、小突起板層が接着又は粘着により設けられ、
中間本体板層は、履物内部の踵部分から足趾の付け根骨部分を略カバーし、且つ、中間本体板層には履物内部の外側縁に略沿って切欠き部が形成され、表面板層の表面に、中間板層を形成する中間本体板層及び小突起板層表面及び外周縁に沿った凹凸面が形成されていることを特徴とする履物用中敷。
【請求項２】
前記中間板層を構成する中間本体板層及び小突起板層は、天然コルク材により形成されている請求項１に記載の履物用中敷。
【請求項３】
前記中間本体板層の上面に設けられる小突起板層は、中間本体板層上面の前部分であって足の横アーチに対応する上面と、中間本体板層上面の中間部分の内側縁部に対応する上面に形成されている請求項１又は２項記載の履物用中敷。
【請求項４】
前記中間本体板層の少なくとも中間部分の内側縁部の側壁面は、庇状に傾斜された後退傾斜面とされている請求項１乃至３のいずれか１項記載の履物用中敷。
【請求項５】
前記中間板層を構成する前記中間本体板層の前記切欠き部の前後方向中間部分の外縁部には中間突出部が外方に突出して形成されている請求項１乃至４のいずれか１項記載の履物用中敷。
【請求項６】
前記中間本体板層における前記切欠き部の外側には、履物内部の壁面に略沿う外側縁部分が形成されている請求項１乃至５のいずれか１項記載の履物用中敷。
【請求項７】
前記切欠き部は、前記中間本体板層の外側縁部分に沿って前後方向に略連続する溝状に形成され、切欠き部の前後方向中間部分に、前記中間突出部が形成され、中間突出部の左右の端部は、対向する中間本体板層と前記外側縁部分に一体的に結合されている請求項５又は６に記載の履物用中敷。
【請求項８】
前記中間板層を構成する前記中間本体板層の前縁部の内側部分に、母趾の付け根骨部分を支える前端突出部が突出して形成されている請求項１乃至７のいずれか１項記載の履物用中敷。
【請求項９】
前記中間板層を構成する前記中間本体板層の前縁部の内側部分に、前端突出部が突出して形成されており、前端突出部の中間内部には、母趾の付け根骨部分が載置される開口部が形成されている請求項１乃至８のいずれか１項記載の履物用中敷。
【請求項１０】
前記履物中敷の下面板層は、履物本体の内底板に接着又は面ファスナーにより接合されていることを特徴とする請求項１乃至９のいずれか１項に記載の履物用中敷。
【請求項１１】
前記下面板層は、履物本体の内底板を構成している請求項１乃至９のいずれか１項に記載の履物用中敷。
【請求項１２】
請求項１に記載の履物用中敷を製作する中敷部品において、
履物内部の輪郭に略沿った形状の下面板層と表面板層と、下面板層及び表面板層の間に粘着又は接着により接合される中間板層を有し、
前記中間板層は、履物内部の踵部分から足趾の付け根骨部分を略カバーする平面形状の中間本体板層と、その上面に接着又は粘着により設けられる小突起板層とよりなることを特徴とする履物用中敷部品。
【請求項１３】
請求項１に記載の履物用中敷を製作する中敷部品において、
履物内部の輪郭に略沿った形状の中間板層を有し、
前記中間板層は、履物内部の踵部分から足趾の付け根骨部分を略カバーする平面形状の中間本体板層と、その上面に接着又は粘着により設けられる小突起板層とよりなることを特徴とする履物用中敷部品。
【請求項１４】
請求項１２又は１３に記載の中敷部品において、
前記中間本体板層は、その裏面に剥離紙によって保護された粘着剤層又は接着剤層が形成され、前記小突起板層は、その裏面に剥離紙によって保護された粘着剤層又は接着剤層が形成されている履物用中敷部品。
【請求項１５】
請求項１に記載の履物用中敷を製作する中敷部品において、
履物内部の輪郭に略沿った形状の中間板層を有し、
前記中間板層は、履物内部の踵部分から足趾の付け根骨部分を略カバーする平面形状の中間本体板層と、その上面に接着又は粘着により設けられる小突起板層とよりなり、前記中間板層を構成する前記中間本体板層の前縁部の内側部分に、前端突出部が突出して形成され、前端突出部の中間内部には、母趾の付け根骨部分が載置される開口部が形成されていることを特徴とする履物用中敷部品。